(57)【特許請求の範囲】
【請求項１】
多数の植木鉢が、折り曲げ可能に折り目が形成された連結板部を介し上端側が連結されて構成され、
各植木鉢は、底面が面積の小なる円形状に形成されて、該底面から約３０°の角度で上方へ向かって拡径する傾斜周壁を有し、上端開口は面積の大なる略四角形状に形成されてなり、各傾斜周壁の両側には外側へ向かって９０°折り曲げて段状をなす段部が形成され、該段部からアール状に湾曲したコーナー湾曲周壁が約３０°の傾斜角度で前記底面側へ向かって縮径してコーナー部に連続形成されてなり、前記段部は、高さが１mmに設定されて前記傾斜周壁と前記コーナー湾曲周壁間にそれぞれ縦方向に上端側から前記底面まで形成されているとともに、前記底面は、山形状に中央部が上方へ上傾した形状に形成され、該底面から前記傾斜周壁の下部部位に亘り該底面中央部を通る１本のスリット孔が２〜３mmの幅長に切込み形成されていることを特徴とする植木鉢。
【発明の詳細な説明】
【０００１】
【産業上の利用分野】
この発明は、植木鉢に関するものである。
【０００２】
【従来の技術及びその課題】
従来、植木鉢内に灌水された水は植木鉢の底面の排水口より排出されるが、一部の水は表面張力によって底部および周壁下部に付着し、停留水として滞留することとなり、この停留水により緑化樹の根は水分のみを吸収するため、根の細胞組織、特に成長点が変形し、根の組織細胞が長い細胞組織となって、数本の側根および主根だけが分根化することなく植木鉢の周壁内側に沿って下方へ螺旋状に延長成育し、その結果、内部は根の乏しい空洞化状態の所謂ルーピング現象が生じ、さらに前記停留水により嫌気状態となり、根腐れも生ずることとなり、特に緑化樹の移植後の成長に決定的な影響を及ぼし、移植後に緑化樹が早期に老化現象を起こしてしまったり、また、台風等の風などの影響を受け易く、根元から横転してしまうという問題点が発生していた。
【０００３】
【課題を解決するための手段】
本発明は上記従来の問題点に鑑み案出したものであって、根のルーピング現象を防ぎ強固な根型を形成させることのできる植木鉢を提供せんことを目的とし、その要旨は、多数の植木鉢が、折り曲げ可能に折り目が形成された連結板部を介し上端側が連結されて構成され、各植木鉢は、底面が面積の小なる円形状に形成されて、該底面から約３０°の角度で上方へ向かって拡径する傾斜周壁を有し、上端開口は面積の大なる略四角形状に形成されてなり、各傾斜周壁の両側には外側へ向かって９０°折り曲げて段状をなす段部が形成され、該段部からアール状に湾曲したコーナー湾曲周壁が約３０°の傾斜角度で前記底面側へ向かって縮径してコーナー部に連続形成されてなり、前記段部は、高さが１mmに設定されて前記傾斜周壁と前記コーナー湾曲周壁間にそれぞれ縦方向に上端側から前記底面まで形成されているとともに、前記底面は、山形状に中央部が上方へ上傾した形状に形成され、該底面から前記傾斜周壁の下部部位に亘り該底面中央部を通る１本のスリット孔が２〜３mmの幅長に切込み形成されていることである。
【０００４】
【実施例】
以下、本発明の実施例を図面に基づいて説明する。
図１は、多数の植木鉢を連結した連結植木鉢１の平面構成図であり、この連結植木鉢１はポリスチレンまたはウレタン等の樹脂で真空成形して形成されたものであり、多数の植木鉢２，２，２，２，２，２，２は連結板部３，３を介しその上端側が連結されており、連結板部３には折り目３ａ，３ａが形成されて、この折り目３ａ，３ａにより折り曲げできるように構成されている。
この連結植木鉢１の要部拡大平面図を図２に示し、また図３では、図２のＡ−Ａ線断面図を示し、さらに図４には、各植木鉢２の一部破断斜視構成図を示し詳しく説明する。
【０００５】
図２および図３および図４において、前記連結板部３に形成された折り目３ａ，３ａはＶ字状に形成され、各植木鉢２は、底面７が面積の小なる円形状に形成されて、この底面７から上方に向かって拡径した傾斜状の傾斜周壁４が形成されており、上端開口は面積の大なる略四角形状に形成されたものとなっており、傾斜周壁４は例えば約３０°の角度で上方へ拡径して傾斜したものとなっており、図４に示すように、各傾斜周壁４の両側には外側へ向かって９０°折り曲げて段状をなす段部５，５が形成されており、この段部５からアール状に湾曲したコーナー湾曲周壁６がコーナー部に連続形成されたものとなっており、この各コーナー湾曲周壁６も約３０°の傾斜角度で前記底面７側へ向かって縮径して連続形成されている。従って、傾斜周壁４とコーナー湾曲周壁６間にはそれぞれ縦方向に上端側から底面７に向かう段部５が形成されたものとなっており、この段部５の高さは１mmに設定されている。また、前記底面７は山形状に中央部が上方へ上傾した形状に形成されており、この底面７から前記傾斜周壁４の下部部位に亘りスリット孔８が貫通状に形成され、このスリット孔８は例えば２〜３mmの幅長に切り込んで形成されたものである。
【０００６】
このような植木鉢２内にそれぞれ緑化樹を植え込むと、図５の断面図で示すように根が成長する。即ち、緑化樹１０の主根１１が植木鉢２内に入れられた用土Ｅ内において成長する過程で、植木鉢２内に上方より灌水が行われると、灌水された水は主として毛管現象で用土Ｅ内に浸透するが、水は傾斜周壁４を通り、また、前記段部５により誘導されて下方側へ流下することとなり、前記主根１１から数本の側根１２が外側へ向かって伸び、図２のａで示すように、主根１１から前記傾斜周壁４側へ向かって伸び出た側根１２は傾斜周壁４に成長点が当接すると、この傾斜周壁４の周壁に沿って前記コーナー湾曲周壁６内に旋回して伸び出すが、段部５に成長点が当接すると、成長点がこの段部５に当たることによりストレスを受け、水とともに段部５に沿って下方側へ誘導されることとなる。
【０００７】
また、図２におけるｂで示すように、主根１１からコーナー湾曲周壁６内へ向かって伸び出た側根１２はコーナー湾曲周壁６に当接し、コーナー湾曲周壁６に沿って旋回し、段部５に成長点が当接して成長点がストレスを受けると、段部５に沿って下方側へ誘導されることとなり、従って、主根１１から外側へ伸び出た数本の側根１２，１２，１２はそれぞれ傾斜周壁４またはコーナー湾曲周壁６に沿って旋回した後、段部５に沿って下方へ誘導されることとなる。
【０００８】
なお、この段部５の高さを１mmに設定したのは、側根１２の成長点を下方へ誘導する良好なストレスを与え、下方への誘導を確実にするためであり、この段部５が２mm以上の高さである場合には、この段部５を乗り越えて側根１２が前述したルーピングを起こしてしまうものであり、ルーピングが生じることなく良好に側根１２を下方へ誘導するために段部５の高さが設定されている。
【０００９】
なお、本例では、前述したように底面７から傾斜周壁４の下部部位に亘りスリット孔８が形成され、このスリット孔８は水の流下方向を横切る方向に切込み形成されたものであるため、底面７および傾斜周壁４の下部に表面張力によって付着する停留水をも確実に排水させることができ、底面７周辺に停留水が生ずることがなく、前記側根１２，１２，１２の先端の成長点は良好な好気状態で十分な酸素が供給される条件下で成長し、十分な酸素が供給される条件下のため次第に側根１２の成長点は短い細胞組織となって、短い細胞組織への変化に伴い健康な状態を維持しつつ自然に成長を停止することとなり、このように健康な状態で側根１２の成長が自然停止されると図５に示すように、前記主根１１から多数の心根（けん引根）１３が分根し成長してくるものであり、分根された多数の心根１３，１３，１３は、傾斜周壁４が下方側に向かって面積を狭めた傾斜状であるため、心根１３は下方側に向かうにつれてその密度を高めて集束状態で成長する。このように多数の心根１３が成長することにより成長点が多くなり、成長ホルモンが増大し、これにより緑化樹１０の地上部の成長が促されることとなる。
【００１０】
なお、従来においては、停留水の影響により前記側根１２が嫌気状態で成長を続け、水のみを吸い上げて成長点の細胞組織が長い細胞組織となるため、前記心根１３の発生を阻害しており、しかも側根１２は植木鉢の周壁に沿って旋回し成長を続けることとなり、従来では主根１１とこの数本の側根１２のみで根が構成され、根全体の機械的強度も弱く、また、養分吸収能力も極めて弱いものであったが、本発明の植木鉢内で成長した根は前述した如く、多数の心根１３により養分吸収が大であり、しかも各心根１３は下方側に向かって集束し、全体として楔状の機械的強度の大なる集団的な根を形成することとなる。
【００１１】
このように多数の心根１３，１３，１３を集束させて楔状に形成された根は、植木鉢２から取り出して移植する際に、楔状で機械的な強度も大となっているため、植木鉢から取り出したそのままの状態で所定の移植地に上方より差し込んで移植することができ、従来のように移植地に穴を掘り、その中に根を入れる必要がなく、移植作業が楽に行えるものとなる。しかも、上部側は円形ではなく本例では四角形状の面積の大なる形状に形成されているため、移植状態での倒れが防止され、強固に移植されて風等の影響により従来のように倒れることがなく、移植後の管理も容易なものとなる。しかも、根は多数の心根１３，１３，１３を有しているため、大地からの養分を良好に吸収して地上部の成育を促進させることができ、従来のように早期に老化現象を引き起こしてしまうようなことがない。
【００１２】
なお、図１のように、多数の植木鉢２，２，２を連結した連結植木鉢１においては、各植木鉢２内で前述した如く心根１３，１３，１３を成長させて、図６に示すように各折り目３ａ，３ａで折り曲げて、それぞれ緑化樹１０を植え込んだままの状態でダンボールＤ内に折り曲げた状態でコンパクト化して詰め込んで移植地等へ輸送することができ、大量の緑化樹１０をコンパクトに輸送することができるものとなる。
なお、本例の植木鉢２では段部５，５，５が縦方向に形成されているため、この段部５により良好に水および根を下方側へ誘導することができるとともに、この段部５により植木鉢２全体の機械的強度も大となるものである。
【００１３】
なお、発明者は椎の木，樫の木のような樹木類、あるいは柑橘類で栽培試験を行ない、前記側根１２を植木鉢２の傾斜周壁４もしくは底面７側で健康な状態で自然停止化させ、根の先端部からではなく主根１１から新しい心根１３，１３を多数形成させることに成功し、この方法により限られた用土Ｅで短期間に優良な緑化樹１０を生産することに成功し、さらにはナスやピーマン等の果菜類の試験においても前記心根１３の発生が確認された。
【００１４】
【発明の効果】
本発明は、多数の植木鉢が、折り曲げ可能に折り目が形成された連結板部を介し上端側が連結されて構成され、各植木鉢は、底面が面積の小なる円形状に形成されて、該底面から約３０°の角度で上方へ向かって拡径する傾斜周壁を有し、上端開口は面積の大なる略四角形状に形成されてなり、各傾斜周壁の両側には外側へ向かって９０°折り曲げて段状をなす段部が形成され、該段部からアール状に湾曲したコーナー湾曲周壁が約３０°の傾斜角度で前記底面側へ向かって縮径してコーナー部に連続形成されてなり、前記段部は、高さが１mmに設定されて前記傾斜周壁と前記コーナー湾曲周壁間にそれぞれ縦方向に上端側から前記底面まで形成されているとともに、前記底面は、山形状に中央部が上方へ上傾した形状に形成され、該底面から前記傾斜周壁の下部部位に亘り該底面中央部を通る１本のスリット孔が２〜３mmの幅長に切込み形成されていることにより、水は段部により誘導されて下方側へ流下することとなり、主根から傾斜周壁側へ向かって伸び出た側根は傾斜周壁に成長点が当接すると、この傾斜周壁の周壁に沿ってコーナー湾曲周壁内に旋回して伸び出すが、成長点が段部に当たることによりストレスを受け、水とともに段部に沿って下方側へ誘導されることとなる。また、主根からコーナー湾曲周壁内へ向かって伸び出た側根はコーナー湾曲周壁に当接し、コーナー湾曲周壁に沿って旋回し、段部に成長点が当接して成長点がストレスを受けると、段部に沿って下方側へ誘導されることとなる。
また、底面側に表面張力によって滞留する水も確実にスリット孔を介し外部に排出することができ、そのため良好な好気状態となり、側根は段部に沿ってルーピングすることなく下方側へ成長して健康な状態で自然に成長を停止し、これにより主根から多数の心根（けん引根）が分根し成長し、多数の心根は、傾斜周壁が下方側に向かって面積を狭めた傾斜状であるため、下方側に向かうにつれてその密度を高めて集束状態で成長し、多数の心根が成長することにより成長点が多くなり、成長ホルモンが増大し、これにより緑化樹の地上部の成長が促される効果を有する。
また、各折り目で折り曲げて、緑化樹を植え込んだままの状態でダンボール内に折り曲げた状態でコンパクト化して詰め込んで移植地等へ輸送することができ、大量の緑化樹をコンパクトに輸送することができるものとなる。
【図面の簡単な説明】
【図１】  連結植木鉢の平面構成図である。
【図２】  図１の要部拡大平面図である。
【図３】  図２のＡ−Ａ線断面構成図である。
【図４】  各植木鉢の一部破断斜視構成図である。
【図５】  根の成育状態を説明する説明断面図である。
【図６】  ダンボール内に詰めて輸送等する際の出荷状態図である。
【符号の説明】
１  連結植木鉢
２  植木鉢
３  連結板部
３ａ  折り目
４  傾斜周壁
５  段部
６  コーナー湾曲周壁
７  底面
８  スリット孔
１０  緑化樹
１１  主根
１２  側根
１３  心根
【図１】
0003881410.tif 000002
【図２】
0003881410.tif 000003
【図３】
0003881410.tif 000004
【図４】
0003881410.tif 000005
【図５】
0003881410.tif 000006
【図６】
0003881410.tif 000007